(57)【要約】　　　（修正有）【課題】バランス調整機構であって、ボール収容部からボールの脱落を防止するようにしたバランスプレートを備えた回転ドラム装置を得る。【解決手段】ドラム軸の上下２か所にバランス調整手段を備えた回転体が配設されるようにした回転ドラム装置であって、軸下方のモータのバランス調整手段として、モータロータケース７の回転面との間にバランスボール収容部２６が設けられるようにばね性を有する板金状のバランスプレート２５を設け、その外周部に亘ってボール係止部３０を有するスリット溝状のボール案内溝２８と、隣り合うボール案内溝２８の間に変形吸収溝３１とを形成し、軸下方のモータのバランス調整を、固定側ドラムに開口した窓孔を通じてバランスボール収容部２６に挿入したバランスボール３２をモータロータケース７の回転面とバランスプレート２５のボール係止部３０とで挟み付けて保持するようにした。【選択図】　　　図３
2004047026.tif 000002
【特許請求の範囲】
【請求項１】
固定側ドラムと、ドラム軸に支承され上記固定側ドラムの上に回転可能にされた回転側ドラムとを有し、上記ドラム軸の上下２か所にバランス調整手段を備えた回転体が配設されるようにした回転ドラム装置であって、
上記ドラム軸下方の回転体のバランス調整手段は、当該回転体の回転面との間にバランスボール収容部が設けられるようにばね性を有する板金状のバランスプレート板を設け、
上記バランスプレート板はその外周部に亘ってボール係止部を有するスリット溝状のボール案内溝と、隣り合う上記ボール案内溝の間にバランスプレート変形吸収溝とを形成し、
上記ドラム軸下方の回転体のバランス調整を、上記固定側ドラムに開口した窓孔を通じてバランスボール収容部に挿入したバランスボールを上記下方の回転体の回転面と上記バランスプレート板のボール係止部とで挟み付けて保持するようにしたことを特徴とする回転ドラム装置。
【請求項２】
請求項１記載の回転ドラム装置において、
上記バランスプレート変形吸収溝の開口前面に上記バランスプレート板から曲げ形成したボール誤挿入防止片を設け、上記バランスプレート変形吸収溝へのバランスボールの誤挿入を防止するようにしたことを特徴とする回転ドラム装置。
【請求項３】
請求項１記載の回転ドラム装置において、
上記バランスプレート変形吸収溝の溝幅を上記ボール案内溝の溝幅より狭くし、上記バランスプレート変形吸収溝へのバランスボールの誤挿入を防止するようにしたことを特徴とする回転ドラム装置。
【請求項４】
請求項１記載の回転ドラム装置において、
上記ドラム軸下方の回転体がドラムモータのロータケースであることを特徴とする回転ドラム装置。
【請求項５】
請求項１記載の回転ドラム装置において、
上記ドラム軸下方の回転体がロータリートランスのローターであることを特徴とする回転ドラム装置。
【発明の詳細な説明】
【０００１】
【発明の属する技術分野】
本発明は、例えば超小型化され高密度記録，再生を可能にしたデジタルビデオカメラ装置等に適用して好適な回転ドラム装置に関し、詳しくは、ドラム軸の上下２か所にバランス調整手段を備えた回転体が配設されるようにした回転ドラム装置であって、固定側ドラムと回転側ドラムとのセット状態において、固定側ドラム内に内蔵したドラム軸下方の回転体となる例えばドラムモータのバランス調整を板金材からなるバランスプレートを使用しバランスボールを保持するようにしたものである。
【０００２】
【従来の技術】
図１０に従来の高密度記録，再生を可能にしたデジタルビデオカメラ装置に用いられる回転ドラム装置の左右で断面位置の異なる断面図を示し、この回転ドラム装置ではドラム軸の上方にロータリートランスが配さ、ドラム軸の下方にドラムモータが配されている例である。
【０００３】
符号１が固定側ドラムであり、この固定側ドラム１の軸固定部１ａにドラム軸２が圧入され立設されている。ドラム軸２には予圧ばね３を介して上下一対のダイレクトベアリング４，５が挿着され、ダイレクトベアリング４，５の外周部にスピンドルユニット６が圧入され回転可能にされている。
【０００４】
スピンドルユニット６のフランジ６ａの裏面にはドラムモータケース７が図示しないねじにより固定され、このドラムモータケース７の裏面にマグネットからなるモータロータ８が接着等により固定さている。ここで、モータロータ８に対面するようにヨーク９がスピンドルユニット６に圧入により固定され、上述したモータロータ８とヨーク９との間にモータステータ１０が配置され、モータステータ１０は固定側ドラム１に接着等により固定されている。上述したモータロータ８、ヨーク９及びモータステータ１０によりドラムモータ１１が構成されている。
【０００５】
ここで、ドラムモータケース７の上面外周部にはドラム軸下方の回転体であるドラムモータ１１の回転バランスを調整するためのバランスウエイトＷが例えば接着等の方法により取り付けられている。
【０００６】
一方、固定側ドラム１上方にはスピンドルユニット６の上部に挿着されるようにして磁気ヘッド１２を備えたドラム軸上方の回転体である回転側ドラム１３がねじ１４により固定されている。回転側ドラム１３の上面外周部に当該回転側ドラム１３の回転バランスを調整するためのバランスリング１５が図示しない両面接着テープにより固定されている。このバランスリング１５の周面に設けられた多数のボール収容部１６にバランスボール１７が選択的に収容される。
【０００７】
また、回転側ドラム１３の上部にはドラム軸２にスリーブ１８が圧入により固定され、このスリーブ１８に一体に形成したドラムカバー１９で回転側ドラム１３の上面を覆うようにされている。ここで、回転側ドラム１３の上面にロータリートランスのロータ２０が固定され、このロータ２０に対峙するようにドラムカバー１９にロータリートランスのステータ２１が固定されている。尚、符号２２は上述したドラムモータ１１へモータ信号を供給するためのフレキシブル配線フィルムであり、符号２３は中継ピン２４を介して接続されたビデオ信号等の給電線であるフレキシブル配線フィルムである。
【０００８】
以上のように構成した従来の回転ドラム装置のドラム軸上下のバランス調整は次の手順により行われる。まず、ドラム軸下方のドラムモータ１１のバランス調整を行う。この場合、固定側ドラム１に回転側ドラム１３を組付けた状態で固定側ドラム１の側面に開けた窓孔２７からバランスウエイトＷをドラムモータケース７の上面に取り付けてドラムモータ１１のバランスの偏りを調整する。次に、ドラム軸２からスリーブ１９を取り外した状態でドラム軸上方の回転側ドラム１３のバランス調整を行う。この場合は、バランスリング１５の所定のボール収容部１６に上からバランスボール１７を収容して回転側ドラム１３のバランスの偏りの調整が行われる。
【０００９】
ところで、従来、ドラム軸下方のドラムモータ１１のバランス調整を行うためのバランスウエイトＷには幾つかの種類があり、ドラムモータケース７上に例えば比重の大きい接着材を塗布する方法、ウエイト部材を接着材で固定する方法、また、半田を滴下してウエイトの代用とする方法がある。しかし、接着材を塗布する方法は接着材が硬化するまで待たなければならずバランス調整に時間を要するといった問題がある。また、ウエイト部材を接着材で固定する方法は、ウエイトの固定位置を正確に決めることができないので、精度の高いバランス調整が難しいといった問題がある。また、半田を滴下してウエイトの代用とする方法は、半田を垂らしたときに飛散するフラックスを除去するためのクリーニング作業が必要となるといった問題がある。
【００１０】
【発明が解決しようとする課題】
そこで、本出願人は上述したようなバランス調整方法を改善し、ドラム軸下方のドラムモータのドラムロータケース上に外周部に沿ってスリット溝状の多数のボール収容部を設けた樹脂成形品からなるバランスリングを固定し、所定のボール収容部へ固定側ドラムの側面に開口した窓孔よりバランスボールを圧入し挿着することでドラムモータのバランス調整を行えるようにした回転ドラム装置を特願２００１−２２８２４３で提案している。
【００１１】
しかし、上述した回転ドラム装置のバランスリング方式では、バランスボールを先に挿着したボール収容部に対して、このボール収容部と隣り合うボール収容部にバランスボールを挿着したときに発生するバランスリング自体の撓み変形により先にボールを挿着したボール収容部からバランスボールが脱落するといった問題が生じることがある。
【００１２】
本発明は、上述したような課題を解消するためになされたもので、隣り合うボール収容部へバランスボールが挿着されることであっても先にボールを挿着したボール収容部からバランスボールの脱落を防止するようにしたバランスプレートを備えた回転ドラム装置を得ることを目的とする。
【００１３】
【課題を解決するための手段】
上述の目的を達成するため本発明による回転ドラム装置は、固定側ドラムと回転側ドラムとを有し、ドラム軸の上下２か所にバランス調整手段を備えた回転体が配設されるようにした回転ドラム装置であって、バランス調整手段は、ドラム軸下方の回転体の回転面との間にバランスボール収容部を隔てるようにばね性を有する板金状のバランスプレート板を設け、バランスプレート板はその外周部に亘ってボール係止部を有するスリット溝状のボール案内溝と、隣り合うボール案内溝の間にバランスプレート変形吸収溝とを形成し、ドラム軸下方の回転体のバランス調整を固定側ドラムに開口した窓孔を通じてバランスボール収容部に挿入したバランスボールを回転体の回転面とバランスプレート板のボール係止部とで挟み付けて保持するようにしたものである。
【００１４】
上述した回転ドラム装置によれば、先にボールがボール案内溝に係止されて保持されているバランスボール収容部と隣合うバランスボール収容部にボールが挿着されたときのバランスプレート板の撓み変形は、バランスプレート変形吸収溝によって吸収され、先にボールが保持されているバランスボール収容部に撓み変形が及ぶこともなくボールの脱落を防止することができる。
【００１５】
【発明の実施の形態】
以下、本発明による回転ドラム装置の実施の形態を超小型のデジタルビデオカメラの回転ドラム装置を例にとって図面を参照して説明する。
【００１６】
〔第１の実施形態〕
図１は回転ドラム装置のドラム軸の上方に回転体であるロータリートランスを配置し、ドラム軸の下方に回転体であるドラムモータを配置した場合の左右で断面位置の異なる断面図であり、図１０で説明した従来例のドラム装置と同一構成部分には同じ符号を付して説明する。
【００１７】
符号１が固定側ドラムであり、この固定側ドラム１の中心にドラム軸２が圧入され立設されている。ドラム軸２には予圧ばね３を介して上下一対のダイレクトベアリング４，５が挿着され、ダイレクトベアリング４，５の外周部にスピンドルユニット６が圧入され回転可能にされている。
【００１８】
スピンドルユニット６のフランジ６ａの裏面にはドラムモータケース７が図示しないねじにより固定され、このドラムモータケース７の裏面にマグネットからなるモータロータ８が接着等により固定さている。ここで、モータロータ８に対面するようにヨーク９がその筒状部９ａがスピンドルユニット６に圧入により固定され、上述したモータロータ８とヨーク９との間にモータステータ１０が配置され、モータステータ１０は固定側ドラム１の内周面に接着等により固定されている。上述したモータロータ８、ヨーク９及びモータステータ１０によりドラムモータ１１が構成されている。
【００１９】
ここで、回転体となるドラムモータケース７の上面にはドラムモータ１１の回転バランスを調整するためのバランス調整機構が取り付けられている。このバランス調整機構は本発明の特徴部分であるので、後で詳細に説明する。
【００２０】
一方、スピンドルユニット６の上部に挿着されるようにして磁気ヘッド１２を備えた回転側ドラム１３がねじ１４により固定されている。回転側ドラム１３の上面外周部に当該回転ドラム１３の回転バランスを調整するための樹脂成形品からなるバランスリング１５が両面接着テープ等により固定されている。このバランスリング１５の周面に設けられた多数のボール収容部１６にバランスボール１７が選択的に収容される。
【００２１】
また、回転側ドラム１３の上部にはドラム軸２にスリーブ１８が圧入により固定され、このスリーブ１８に回転側ドラム１３の上面を覆うようにドラムカバー１９が図示しないねじにより取付けられている。ここで、回転側ドラム１３の上面にロータリートランスのロータ２０が固定され、このロータ２０に対峙するようにスリーブ１８にロータリートランスのステータ２１が固定されている。尚、符号２２は上述したドラムモータ１１へ電源供給するためのフレキシブル配線フィルムであり、符号２３は中継ピン２４を介して接続されたビデオ信号等の給電線であるフレキシブル配線フィルムである。
【００２２】
さて、ドラムモータ１１のバランス調整機構は次のように構成されている。
ドラムモータケース７の上面には例えばベリリウム銅あるいは燐青銅等のばね性を有する円環状の板金材からなるバランスプレート２５が図示しないねじにより固定されている。ここで、ドラムモータケース７の外周側は一段低くされ、ドラムモータケース７とバランスプレート２５との間に隙間ｄを隔て、この隙間がドラムモータケース７とバランスプレート２５とで後述するバランスボールが挟み付けられて保持されるバランスボール収容部２６となる。これに対して固定側ドラム１の一部分には窓孔２７が開口され、この窓孔２７からバランスボール収容部２６にバランスボールが挿着されるようになっている。
【００２３】
図２に上述したバランスプレート２５の平面図を示し、図３にバランスプレート２５の一部分を拡大した斜視図を示す。バランスプレート２５にはその全周に亘って深く切り込まれたスリット溝２８が形成され、これら各スリット溝２８の溝入口側がバランスボールのボール案内溝２９となる。このボール案内溝２９のやや後方のスリット溝２８の部分にバランスボールを係止するための円弧状に切り欠いたボール係止部３０が形成されている。そして、バランスプレート２５には各々のスリット溝２８，２８の間にやや浅く切り込まれるようにスリット溝が形成され、このスリット溝がボール案内溝２９にバランスボールが挿入されたときバランスプレート２５の撓み変形を吸収するためのバランスプレート変形吸収溝３１となる。
【００２４】
以上のように構成した回転ドラム装置のドラム軸下方のドラムモータ１１とドラム軸上方の回転側ドラム１３とのバランス調整は次の手順により行われる。固定側ドラム１と回転側ドラム１３とをセット状態にし、そして、ドラムモータ１１のバランス調整を行うためのバランスボール収容部２６へのバランスボール３２の挿着の仕方は次のように行われる。
【００２５】
まず、固定側ドラム１と回転側ドラム１３とをセット状態にし、図示しないバキューム式のニードルの先端部にバランスボール３２を吸着保持し、バランスボール３２を固定側ドラム１の窓孔２７から差し込む。ここで、バランスボール３２は図４の仮想線で示すようにドラムモータケース７とバランスプレート２５との隙間に一旦位置決めされ、ここからバランスボール３２をさらに押し込むことによってバランスプレート２５が撓み変形して反り上がり、バランスボール３２はボール案内溝２９にガイドされるようにしてバランスボール収容部２６内に挿入され、ボール係止部３０にバランスボール３２が係止された時点でバランスプレート２５が撓み前の元の形状に戻り、バランスボール３２は図４の実線で示すようにドラムモータケース７とバランスプレート２５とで挟み付けられた状態でバランスボール収容部２６に保持することができる。
【００２６】
ところで、バランスの偏り調整は、バランスの偏りの大きさによってはバランスプレート２５の隣り合うバランスボール収容部２６にバランスボールを挿着することもある。この場合、図３に示すように先にバランスボール３２が挿着されたバランスボール収容部２６と隣り合うバランスボール収容部２６ａに仮想線で示すようにバランスボール３２ａが挿着されたときのバランスプレート２５の撓み変形は、バランスプレート変形吸収溝３１の形成によって生じるプレート部片３３が撓み変形することで吸収される。これによって、先にバランスボール３２が挿着されたバランスボール収容部２６には撓み変形が及ぶことなくバランスボール３２の脱落を防止することができる。
【００２７】
また、上述したバランスプレート２５の形状ではバランスプレート変形吸収溝３１から誤ってバランスボールが挿入されないようにするため、図５に示すようにバランスプレート２５の外周縁部から一体にボール誤挿入防止片３４を曲げ形成し、このボール誤挿入防止片３４でバランスプレート変形吸収溝３１開口部分を塞ぐようにすることによって、バランスプレート変形吸収溝３１からバランスボールを挿入しようとしてもボール誤挿入防止片３４に突き当たって誤挿入を防止することができる。
【００２８】
図６にバランスプレートの別の実施形態の平面図を示し、図７に一部分の拡大平面図を示す。このバランスプレート２５ａはその全周に亘って切り込まれたスリット溝３５が形成され、これら各スリット溝３５の溝入口側にくびれ部３６ａを有するボール案内溝３６が形成されている。そして、バランスプレート２５には各々のスリット溝３５，３５の間に切り込まれた溝幅の狭いスリット溝が形成され、このスリット溝が隣接するボール案内溝３６にバランスボールが挿入されたときバランスプレート２５の撓み変形を吸収するためのバランスプレート変形吸収溝３７となる。
【００２９】
上述したバランスプレート２５ａは、ボール案内溝３６にくびれ部３６ａが形成されていることで、バランスボール３２がボール案内溝３６から挿入されてスリット溝３５にまで挿着されたとき、バランスボール３２はくびれ部３６ａによって抜け出ることなく保持される。また、バランスプレート変形吸収溝３７はその溝幅を極く狭く形成したことによって、バランスプレート変形吸収溝３７からバランスボールが挿入できないようにしてボールの誤挿入を防止している。
【００３０】
図８はバランスプレートのさらに別の実施形態の平面図を示す。この場合のバランスプレート２５ｃは、外周に沿ってくびれ状のボール案内溝３８を有するボール係止部３９と、ボール係止部３９に隣接してスリット溝よりなるバランスプレート変形吸収溝４０とを交互に配置したものである。これらボール係止部３９とバランスプレート変形吸収溝４０とはバランスプレート２５ｃの全周に亘って均一に形成されはいず、所定位置にボール係止部３９及びバランスプレート変形吸収溝４０が形成されていないウエイト部４１が設けられている。
【００３１】
上述したバランスプレート２５ｃの場合では、例えば対角線にある２か所のボール係止部３９，３９にバランスボールを挿着することによって、分力の合成で任意の方向のバランスを調整することがてきる。
【００３２】
尚、ドラム軸上方側の回転側ドラム１３のバランス調整は、ドラムカバー１９を取り外した状態においてバランスリング１５の所定のボール収容部１６に上からバランスボール１７を挿着して回転側ドラム１３のバランスの偏りが調整される。
【００３３】
〔第２の実施の形態〕
図９は回転ドラム装置のドラム軸の上方にドラムモータを配置し、ドラム軸の下方にロータリートランス配置した場合のドラム装置の左右で断面位置の異なる断面図である。
【００３４】
符号５１が固定側ドラムであり、この固定側ドラム５１の中心にドラム軸５２が圧入により立設されている。ドラム軸５２には予圧ばね５３を介して上下一対のダイレクトベアリング５４，５５が挿着され、ダイレクトベアリング５４，５５の外周部にスピンドルユニット５６が圧入され回転可能にされている。
【００３５】
固定側ドラム５１の底面上にはロータリートランスのステータ５７が接着等により固定され、このステータ５７に対峙するようにしてスピンドルユニット５６にロータリートランスの回転体であるロータ５８が固定されている。このロータ５８の上面には後述する回転側ドラムの回転バランスを調整するためのバランス調整機構が取り付けられている。このドラム軸下方の回転側ドラムのバランス調整機構については後で説明する。
【００３６】
固定側ドラム５１の上方にはスピンドルユニット５６に挿着されると共に、スピンドルユニット５６のフランジ５６ａ上に載置されるようにして磁気ヘッド５９を備えた回転側ドラム６０が図示しないねじにより固定されている。そして、この回転ドラム６０上にドラムモータケース６１が図示しないねじにより固定され、このドラムモータケース６１にマグネットからなるモータロータ６２が接着等により固定さている。また、モータロータ６２に対面するようにヨーク６３が回転側ドラム６０の内周面に圧入により固定され、上述したモータロータ６２とヨーク６３との間にモータステータ６４が配置され、モータステータ６４はドラム軸５２に圧入等により固定した取付板６５に接着等により固定されている。上述したモータロータ６２、ヨーク６３及びモータステータ６４によりドラムモータ６６が構成されている。
【００３７】
また、ドラムモータ６６のヨーク６３上にはドラムモータ６６の回転バランスを調整するための樹脂成形品からなるバランスリング６７が両面接着テープ等により固定されている。このバランスリング６７の周面に設けられた多数のボール収容部６８にバランスボール６９が選択的に挿着され、ドラムモータ６６の回転バランスが調整される。
【００３８】
尚、ドラムモータ６６はその上面からドラムカバー７０で覆われ、ねじ７１で取付板６５に固定されている。また、符号７２は上述したドラムモータ１１へ電源供給するため、モータステータ６４とピン７３を介して接続されてドラムカバー７０から引き出されているフレキシブル配線フィルムであり、符号７４はロータリートランスのステータ５７から引き出された中継ピン７５を介して接続されたビデオ信号等の給電線であるフレキシブル配線フィルムである。
【００３９】
ここで、ドラム軸下方のロータリートランスのバランス調整機構は、ロータ５８に対して上述した第１の実施の形態と同様に例えば図２に示すようになバランスプレート２５と同じバランスプレート７６を使用しボール収容部７７が設けられるように構成したものである。そして、バランス調整の仕方は、固定側ドラム５１と回転側ドラム６０とをセット状態にし、図示しないバキューム式のニードルの先端部にバランスボール７８を吸着保持し、バランスボール７８を固定側ドラム５１の窓孔７９から差し込み、ロータリートランスのロータ５８とバランスプレート７６とによってバランスボール７８を挟み付けるようにしてボール収容部７７に挿着することによって行われる。この第２の実施の形態の場合も隣り合うボール収容部にバランスボールが収容されたとき、先にバランスボールが挿着されたバランスボール収容部にはバランスプレート変形吸収溝によって撓み変形が及ぶことなく吸収されバランスボールの脱落を防止することができる。
【００４０】
尚、バランスプレート７６以外、図６及び図８に示したバランスプレートを使用することであってもよい。
【００４１】
また、ドラム軸上方側のドラムモータ６６のバランス調整は、ドラムカバー７０を取り外した状態においてバランスリング６７の所定のボール収容部６８に上からバランスボール６９を挿着して回転側ドラム６０のバランスの偏りが調整される。
【００４２】
以上、第１及び第２の実施の形態で説明したように本発明による回転ドラム装置では、板金材からなるバランスプレートを使用し、隣り合うボール案内溝の間にバランスプレート変形吸収溝を形成することによって、先にバランスボールが挿着されたバランスボール収容部にはバランスプレート変形吸収溝によって撓み変形が及ぶことなく吸収されバランスボールの脱落を防止することができるといった利点がある。
【００４３】
本発明は、上述しかつ図面に示した実施の形態に限定されるものでなく、その要旨を逸脱しない範囲内で種々の変形実施が可能である。
【００４４】
本例の実施の形態では超小型のデジタルビデオカメラの回転ドラムに適用した場合について説明したが、その他、ドラム軸の上下２面のバランス取りを必要とする回転ドラム装置に広く適用可能である。
【００４５】
【発明の効果】
以上説明したように本発明による回転ドラム装置によれば、固定側ドラムと回転側ドラムとを有し、ドラム軸の上下２か所にバランス調整手段を備えた回転体が配設されるようにした回転ドラム装置であって、バランス調整手段はドラム軸下方の回転体の回転面との間にバランスボール収容部を隔てるようにばね性を有する板金状のバランスプレート板を設け、バランスプレート板はその外周部に亘ってボール係止部を有するスリット溝状のボール案内溝と、隣り合うボール案内溝の間にバランスプレート変形吸収溝とを形成し、ドラム軸下方の回転体のバランス調整を固定側ドラムに開口した窓孔を通じてバランスボール収容部に挿入したバランスボールを回転体の回転面とバランスプレート板のボール係止部とで挟み付けて保持するようにしたことで、隣り合うボール収容部にバランスボールが収容されたとき、先にバランスボールが挿着されたバランスボール収容部に撓み変形が及ぶことがなくバランスボールの脱落を防止することができるといった効果があり、これによって、バランス調整の作業性を向上することができる。
【００４６】
また、板金によるバランスプレート板の使用によってバランス調整機構の部品点数の削減が図れ、しかも、薄型化によって省スペースでのバランス取りが可能となる。
【図面の簡単な説明】
【図１】第１の実施の形態による回転ドラム装置の断面図である。
【図２】バランスプレートの一例の平面図である。
【図３】同じくバランスプレートと回転体の一部分の斜視図である。
【図４】同じくバランスプレートへのバランスボールの挿着状態の側面図である。
【図５】同じくバランスプレートの変形例の斜視図である。
【図６】バランスプレートの別の形態の平面図である。
【図７】図６のバランスプレートの一部分の拡大図である。
【図８】バランスプレートのさらに別の形態の平面図である。
【図９】第２の実施の形態による回転ドラム装置の断面図である。
【図１０】従来の回転ドラム装置の断面図である。
【符号の説明】
１…固定側ドラム、２…ドラム軸、３…予圧ばね、４，５…ダイレクトベアリング、６…スピンドルユニット、７…ドラムモータケース、８…モータロータ、９…ヨーク、１０…モータステータ、１１…ドラムモータ、１３…回転側ドラム、１５…バランスリング、１７…バランスボール、２０…ロータリートランスのステータ、２１…ロータリートランスのロータ、２５，２５ａ，２５ｂ…バランスプレート、２６…ボール収容部、２７…窓孔、２８…スリット溝、２９…ボール案内溝、３０…ボール係止部、３１…バランスプレート変形吸収溝、３２…バランスボール、３４…ボール誤挿入防止片、３５…スリット溝、３６…ボール案内溝、３７…バランスプレート変形吸収溝、３８…ボール案内溝、３９…ボール係止部、４０…バランスプレート変形吸収溝、５８…ロータリートランスのロータ、７６…バランスプレート、７７ボール収容部、７８…バランスボール、７９…窓孔
【図１】
2004047026.tif 000003
【図２】
2004047026.tif 000004
【図３】
2004047026.tif 000005
【図４】
2004047026.tif 000006
【図５】
2004047026.tif 000007
【図６】
2004047026.tif 000008
【図７】
2004047026.tif 000009
【図８】
2004047026.tif 000010
【図９】
2004047026.tif 000011
【図１０】
2004047026.tif 000012